(57)【特許請求の範囲】
【請求項１】
内部にアイライナー液が収納される筒状の塗布具本体（２）と、該塗布具本体（２）の先端部（２ａ）に嵌め込むと共に筆先（１３）が集束されたノーズピース（１２）と、を少なくとも有するアイライナー液塗布具（１１）の筆先構造であって、
前記筆先（１３）は、先端部（１３ａ）が前記ノーズピース（１２）の先端から所定長さ突出し、後端部（１３ｂ）が前記ノーズピース（１２）の後端から所定長さ突出して前記塗布具本体（２）の内部に位置し、
当該筆先（１３）の中心位置には、長さ方向に沿った貫通孔（２１）が形成されると共に、該貫通孔（２１）の孔径が０．８〜３．５ｍｍの範囲であり、
該貫通孔（２１）には合成樹脂材からなる糸材を束ねて形成した糸状部材（２０）が集束され、
該糸状部材（２０）は前記貫通孔（２１）の孔径と同様な細径であると共に、前記筆先（１３）の先端部（１３ａ）から所定長さ突出させて、該糸状部材（２０）の先端部（２０ａ）を先鋭に形成したこと
を特徴とするアイライナー液塗布具（１１）の筆先構造。
【請求項２】
前記貫通孔（２１）は、横断面が円形状又は楕円形状であること
を特徴とする請求項１に記載のアイライナー液塗布具（１１）の筆先構造。
【発明の詳細な説明】
【技術分野】
【０００１】
本発明は、アイライナー液塗布具の筆先構造に関するものである。
【背景技術】
【０００２】
従来のアイライナー液塗布具としては、図１２及び図１３に示す構成のものが知られている。このアイライナー液塗布具１は、筒状の塗布具本体２と、この塗布具本体２の内部に収納される中綿３と、塗布具本体２の先端部２ａに嵌め込むノーズピース４と、このノーズピース４に集束される筆先５と、塗布具本体２の先端部２ａを覆うキャップ６と、塗布具本体２の後端部２ｂを閉塞する尾栓７とから構成される（特許文献１参照）。
【０００３】
また、筆先５の基部５ｂには、中継芯９が挿入した状態に設けられており、この中継芯９は、中綿３の先端部３ａに挿入されている。このように、筆先５と中綿３との間に中継芯９が介在することにより、中綿３に含浸されたアイライナー液が筆先５へ流出する。
【０００４】
このような構成のアイライナー液塗布具１は、中綿３に含浸したアイライナー液を筆先５から吐出させて塗布するものである。
【特許文献１】特開２００６−２９６９３６号公報（図１及び図２）
【発明の開示】
【発明が解決しようとする課題】
【０００５】
この従来例のアイライナー液塗布具１においては、筆先５の中心位置に中継芯９を設けることから、筆先５の中心部に位置する所謂命毛を抜く必要が生じてしまい、結果的に、筆先５の形状が先鋭で良好な形に形成できないという欠点を有している。
【０００６】
従って、従来例におけるアイライナー液塗布具１においては、筆先５の形状を先鋭で良好な形に形成できて、細い描線を良好に描けるようにすることに解決しなければならない課題を有している。
【課題を解決するための手段】
【０００７】
前記従来例の課題を解決する具体的手段として本発明は、内部にアイライナー液が収納される筒状の塗布具本体（２）と、該塗布具本体（２）の先端部（２ａ）に嵌め込むと共に筆先（１３）が集束されたノーズピース（１２）と、を少なくとも有するアイライナー液塗布具（１１）の筆先構造であって、前記筆先（１３）は、先端部（１３ａ）が前記ノーズピース（１２）の先端から所定長さ突出し、後端部（１３ｂ）が前記ノーズピース（１２）の後端から所定長さ突出して前記塗布具本体（２）の内部に位置し、当該筆先（１３）の中心位置には、長さ方向に沿った貫通孔（２１）が形成されると共に、該貫通孔（２１）の孔径が０．８〜３．５ｍｍの範囲であり、該貫通孔（２１）には合成樹脂材からなる糸材を束ねて形成した糸状部材（２０）が集束され、該糸状部材（２０）は前記貫通孔（２１）の孔径と同様な細径であると共に、前記筆先（１３）の先端部（１３ａ）から所定長さ突出させて、該糸状部材（２０）の先端部（２０ａ）を先鋭に形成したことを特徴とするアイライナー液塗布具（１１）の筆先構造を提供するものである。
【０００８】
また、前記貫通孔は、横断面が円形状又は楕円形状である構成としたものである。
【発明の効果】
【０００９】
本発明に係るアイライナー液塗布具の筆先構造によれば、従来例のような中継芯が必要ないので、筆先の中心部に位置する所謂命毛を抜く必要がない。つまり、筆先の形状を先鋭で良好な形に形成できるので、細い描線を良好に描けることとなるという優れた効果を奏する。
【００１０】
また、貫通孔は、横断面が円形状又は楕円形状であることによって、貫通孔の形状に対応して糸状部材の形状が横断面形成されることとなり、種々な形のアイラインを描くのに好適な色々な形状の糸状部材が形成できるという優れた効果を奏する。
【発明を実施するための最良の形態】
【００１１】
次に、本発明の実施の形態について図面を参照しながら詳細に説明する。尚、理解容易のため、従来例に対応する部分には従来例と同一の符号を付けて説明する。
【００１２】
まず、図１において、符号１１はアイライナー液塗布具を示し、このアイライナー液塗布具１１は、筒状の塗布具本体２と、この塗布具本体２の内部に収納される中綿３と、塗布具本体２の先端部２ａに嵌め込むノーズピース１２と、このノーズピース１２に集束される筆先１３と、この筆先１３に集束される糸状部材２０と、塗布具本体２の先端部２ａを覆うキャップ６（図１３参照）と、塗布具本体２の後端部２ｂを閉塞する尾栓７（図１３参照）とから構成される。
【００１３】
塗布具本体２は、先端部２ａ及び後端部２ｂが開口して筒状に形成されている。そして、先端部２ａ側には、周方向に沿って段部１４が形成されており、この段部１４にキャップ６の他端部６ｂ（図１３参照）が当接するようになっている。また、段部１４には、縮径部１５が延設されており、この縮径部１５の内径は、所定の寸法に形成されている。
【００１４】
中綿３は、略円柱状に形成されて、塗布具本体２の内部に収納されており、この中綿３にアイライナー液が含浸している。また、従来例の図１２に示すと同様に、中綿３の後端部３ｂには、リング状のアジャスター８が収納されており、このアジャスター８によって中綿３を固定状態に保持している。
なお、塗布具本体２の内部には、中綿３を収納しないで、アイライナー液を直接収納するタイプの構造であってもよい。
【００１５】
ノーズピース１２は、図１から図３に示すように、中空状に形成されて、先端側にテーパー状部１６が設けられている。テーパー状部１６の後部には、周方向に沿って段部１７が形成されており、この段部１７が塗布具本体２の先端部２ａに当接する。また、段部１７の後部には、筒部１８が延設されており、筒部１８の外周面には、空気孔１９が形成されている。そして、筒部１８の外径寸法は、縮径部１５の内径寸法よりも僅かに小さめか又は略同等の寸法に形成されている。つまり、筒部１８を塗布具本体２の縮径部１５の内側に圧着した状態に嵌め込むことができるように構成されているのである。
【００１６】
筆先１３は、ポリエステル繊維又はナイロン繊維等の周知の材料をウレタン樹脂等の周知の材料を用いて固めて形成しており、図１から図３に示すように、先端部１３ａがノーズピース１２の外部に所定長さ突出している。また、筆先１３の後端部１３ｂもノーズピース１２の外部に所定長さ突出している。
【００１７】
また、筆先１３は、図１、図３及び図５に示すように、中心位置に長さ方向に沿った貫通孔２１が形成されている。この貫通孔２１の直径は、一例を上げれば約０．８〜３．５mm程度が好適である。また、貫通孔２１は、横断面の形状は円形状のみならず、楕円形状であってもよい。この場合、貫通孔２１の横断面の形状に対応して、糸状部材２０の横断面の形状が形成されることとなるので、種々な形のアイラインを描くのに好適な色々な形状の糸状部材２０が形成できる。
【００１８】
図６に示す糸状部材２０は、周知の合成樹脂材からなる糸材を束ねて形成したものであり、この糸状部材２０が貫通孔２１に集束されている。糸状部材２０の先端部２０ａは、図１から図３に示すように、筆先１３の先端部１３ａから所定長さ突出した状態に位置する。また、糸状部材２０の後端部２０ｂは、筆先１３の後端部１３ｂ近傍に位置する。
【００１９】
キャップ６及び尾栓７は、従来例のものと同様な構成であるので、図１２及び図１３に示す従来例の図面に基づいて説明する。
【００２０】
キャップ６は、一端部６ａが閉塞した筒状に形成され、他端部６ｂが開口しており、この他端部６ｂが塗布具本体２の段部１４に当接するようになっている。
【００２１】
尾栓７は、一端部７ａが開口し、他端部７ｂが閉塞した栓状に形成されており、塗布具本体２の後端部２ｂに嵌め込んで施蓋する。
【００２２】
次に、図７から図１１に第２実施例に係るアイライナー液塗布具１１の筆先構造を示す。この第２実施例において、前記第１実施例の筆先構造と同一部分には同一符号を付してその詳細は省略する。また、各部材の材質は第１実施例の場合と同様であり、詳細な説明を省略する。
【００２３】
この筆先構造に用いられるノーズピース１２は、筒部１８の外周面には、周方向に沿った凸部２２が形成されている。また、筆先２３は、前述の筆先１３に比較してやや太径に形成されており、その中心位置に長さ方向に沿った貫通孔２１が形成されている。そして、筆先２３は、図７（ロ）に示すように、楕円形状に形成されている。更に、筆先２３の後端部２３ｂは、ノーズピース１２の後端と同じ長さに位置する。
【００２４】
以上のように構成されるアイライナー液塗布具１１は、従来例のような中継芯が必要ないので、筆先の中心部に位置する所謂命毛を抜く必要がない。即ち、筆先１３、２３の形状を先鋭で良好な形に形成できるので、細い描線を良好に描けることとなる。
【図面の簡単な説明】
【００２５】
【図１】本発明に係るアイライナー液塗布具１１の筆先構造の断面図である。
【図２】筆先１３が集束されたノーズピース１２の平面図である。
【図３】筆先１３が集束されたノーズピース１２の断面図である。
【図４】筆先１３の平面図である。
【図５】筆先１３の断面図である。
【図６】糸状部材２０の平面図である。
【図７】（イ）は、第２実施例の筆先２３が集束されたノーズピース１２の平面図である。（ロ）は、（イ）の左側面図である。
【図８】第２実施例の筆先２３が集束されたノーズピース１２の断面図である。
【図９】第２実施例の筆先２３の平面図である。
【図１０】第２実施例の筆先２３の断面図である。
【図１１】第２実施例の糸状部材２０の平面図である。
【図１２】従来例に係るアイライナー液塗布具１の半身を破断して示した断面図である。
【図１３】従来例に係るアイライナー液塗布具１の平面図である。
【符号の説明】
【００２６】
１    アイライナー液塗布具
２    塗布具本体
２ａ  先端部
２ｂ  後端部
３    中綿
３ａ  先端部
３ｂ  後端部
４    ノーズピース
５    筆先
５ｂ  基部
６    キャップ
６ｂ  他端部
７    尾栓
８    アジャスター
９    中継芯
１１  アイライナー液塗布具
１２  ノーズピース
１３  筆先
１３ａ先端部
１３ｂ後端部
１４  段部
１５  縮径部
１６  テーパー状部
１７  段部
１８  筒部
１９  空気孔
２０  糸状部材
２０ａ先端部
２０ｂ後端部
２１  貫通孔
２２  凸部
２３  筆先
２３ｂ後端部
【図１】
0004392847.tif 000002
【図２】
0004392847.tif 000003
【図３】
0004392847.tif 000004
【図４】
0004392847.tif 000005
【図５】
0004392847.tif 000006
【図６】
0004392847.tif 000007
【図７】
0004392847.tif 000008
【図８】
0004392847.tif 000009
【図９】
0004392847.tif 000010
【図１０】
0004392847.tif 000011
【図１１】
0004392847.tif 000012
【図１２】
0004392847.tif 000013
【図１３】
0004392847.tif 000014